(57)【要約】      （修正有）【課題】構造部材に外壁材が取り付けられた建築物において、外壁材を貼り替えることなく、構造部材に取り付けることができる耐震補強金具を提供する。【解決手段】耐震補強金具は、一対のブレス２０の両端が連結される固定部１０において、構造部材５２０の仕口５２５に固定され、円板形状に形成されたベース底部と、ベース底部の外縁から外面５２０ａと直交する方向に延び、円筒形状に形成されたベース壁部と、を有するベース部１１と、ベース底部を挟んで構造部材５２０の仕口５２５に固定されるブレス受け底部と、ブレス受け底部の外縁近傍から外面５２０ａと直交する方向に突出し、ブレス２０が挿通するブレス挿通孔が形成されたブレス受け壁部と、を有する。【選択図】図２
0003188060.tif 000002
【実用新案登録請求の範囲】
【請求項１】
構造部材に外壁材が取り付けられた建築物に設けられる耐震補強金具であって、
前記構造部材において、前記外壁材が取り付けられる外面の仕口に固定される複数の固定部と、
両端が一対の前記固定部にそれぞれ連結され、互いに交差して配置される一対のブレスと、を備え、
前記固定部は、
前記構造部材の前記外面の仕口に固定され、円板形状に形成されたベース底部と、前記ベース底部の外縁から前記外面と直交する方向に延び、前記外壁材の外表面より突出し、円筒形状に形成されたベース壁部と、を有するベース部と、
前記ベース壁部の内径と略同じ長さで形成された部分を有し、前記ベース底部を挟んで前記構造部材の仕口に固定されるブレス受け底部と、前記ブレス受け底部の外縁近傍から前記外面と直交する方向に突出し、前記ベース壁部の頂部より突出する部分が形成され、この前記ベース壁部の頂部より突出する部分に、前記ブレスが挿通するブレス挿通孔が形成されたブレス受け壁部と、を有し、前記ブレス挿通孔に挿通された前記ブレスからの引っ張り力を受けるブレス受け部と、を備える耐震補強金具。
【請求項２】
前記建築物は、地盤に設けられた基礎の上に前記構造部材が設けられ、
前記基礎近傍の前記仕口に固定される前記固定部は、当該固定部を前記基礎に固定する基礎固定部を、更に備え、
前記基礎固定部は、
前記ベース壁部の外径と略同じ寸法の内径の環形状に形成され、その内部に前記ベース壁部が挿通されるベース側固定部と、
前記基礎に固定される基礎側固定部と、
前記ベース側固定部と前記基礎側固定部とを連結する連結部と、を備える請求項１に記載の耐震補強金具。
【考案の詳細な説明】
【技術分野】
【０００１】
本考案は、耐震補強金具に関し、特に、構造部材に外壁材が取り付けられた建築物に設けられる耐震補強金具に関する。
【背景技術】
【０００２】
従来、基礎の上に設けられる土台、土台の上から立設される柱、柱に架けられる梁等の構造部材を備える建築物を耐震補強する場合、互いに対向する構造部材の仕口同士をブレスによって連結する。これにより、建築物の横揺れに対する強度が向上する。
【０００３】
このような耐震補強を行うための耐震補強金具として、構造部材同士を結合する本体金具と、筋交いと本体金具を結合する補助連結金具とからなり、本体金具は断面Ｌ字形に形成して折曲部近傍に接続片を設け、補助連結金具が本体金具の接続片に結合された耐震補強金具が提案されている（特許文献１参照）。
特許文献１の耐震補強金具によれば、構造部材の結合部である仕口に断面Ｌ字形に形成して折曲部近傍に接続片を設け、この接続片に筋交いを結合する補助連結金具に結合する。これにより、互いに対向する仕口間において、筋交いを設けることができ、建築物の横揺れに対する強度を向上できる。
【先行技術文献】
【特許文献】
【０００４】
【特許文献１】特開２００１−１０７４５８号公報
【考案の概要】
【考案が解決しようとする課題】
【０００５】
しかしながら、特許文献１の耐震補強金具は、外壁材の内部において、構造部材間（例えば、互いに対向する柱間）に設けられる。
このため、構造部材に外壁材が取り付けられた建築物、即ち、既設の建築物に、特許文献１の耐震補強金具を取り付ける場合、少なくとも、断面Ｌ字形に形成された本体金具を取り付けることができる範囲の外壁材を剥がす。そして、耐震補強金具を取り付けた後、剥がした外壁材を復旧する必要がある。この場合、剥がした外壁材をそのまま復旧できるものではなく、新たな外壁材を取り付ける必要がある。また、部分的に外壁を貼り替えた場合、漏水等のおそれがあるため、耐震補強金具を取り付けたスパンを全面的に貼り替える必要が生ずる場合も多々ある。
【０００６】
本考案は、構造部材に外壁材が取り付けられた建築物において、外壁材を貼り替えることなく、構造部材に取り付けることができる耐震補強金具を提供することを目的とする。
【課題を解決するための手段】
【０００７】
（１）  構造部材に外壁材が取り付けられた建築物に設けられる耐震補強金具であって、
前記構造部材において、前記外壁材が取り付けられる外面の仕口に固定される複数の固定部と、
両端が一対の前記固定部にそれぞれ連結され、互いに交差して配置される一対のブレスと、を備え、
前記固定部は、
前記構造部材の前記外面の仕口に固定され、円板形状に形成されたベース底部と、前記ベース底部の外縁から前記外面と直交する方向に延び、前記外壁材の外表面より突出し、円筒形状に形成されたベース壁部と、を有するベース部と、
前記ベース壁部の内径と略同じ長さで形成された部分を有し、前記ベース底部を挟んで前記構造部材の仕口に固定されるブレス受け底部と、前記ブレス受け底部の外縁近傍から前記外面と直交する方向に突出し、前記ベース壁部の頂部より突出する部分が形成され、この前記ベース壁部の頂部より突出する部分に、前記ブレスが挿通するブレス挿通孔が形成されたブレス受け壁部と、を有し、前記ブレス挿通孔に挿通された前記ブレスからの引っ張り力を受けるブレス受け部と、を備える耐震補強金具。
【０００８】
（１）の構成によれば、耐震補強金具は、構造部材において、外壁材が取り付けられる外面の仕口に固定される複数の固定部と、両端が一対の固定部にそれぞれ連結され、互いに交差して配置される一対のブレスと、を備える。
ここで、本発明における「構造部材」には、建築物の基礎の上に設けられる土台、土台の上から立設される柱、柱に架けられる梁が含まれる。また、「仕口」とは、例えば、土台と柱との接合部や、柱と梁との接合部のことである。
【０００９】
そして、固定部は、ベース部と、ブレス受け部と、を備える。
ベース部は、構造部材の外面の仕口に固定され、円板形状に形成されたベース底部と、ベース底部の外縁から外面と直交する方向に延び、外壁材の外表面より突出し、円筒形状に形成されたベース壁部と、を有する。
ブレス受け部は、ベース壁部の内径と略同じ長さで形成された部分を有し、ベース底部を挟んで構造部材の仕口に固定されるブレス受け底部と、ブレス受け底部の外縁近傍から構造部材の外面と直交する方向に突出し、ベース壁部の頂部より突出する部分が形成され、このベース壁部の頂部より突出する部分に、ブレスが挿通するブレス挿通孔が形成されたブレス受け壁部と、を有し、ブレス挿通孔に挿通されたブレスからの引っ張り力を受ける。
【００１０】
これにより、構造部材において、外壁材が取り付けられる外面の仕口には、外径が円筒形状に形成されたベース部が固定される。
ここで、耐震補強金具を建築物に取り付ける場合、ブレスを固定する固定部を構造部材に確実に固定するために、構造部材に取り付けられた外壁材を部分的に剥がし、構造部材の面を露出させ、この露出させた面にベース部を直接固定する必要がある。
そして、構造部材に外壁材が取り付けられた建築物において、構造部材に固定する固定部の外形に合わせた形状で外壁材を取り除くことで、外壁材を貼り替える必要がなくなる。
【００１１】
ところが、固定部の外形が、例えば、四角形状の場合、この形状に合わせて、外壁材を四角形状に取り除くこととなる。この場合、円形状の刃が高速で回転するカッターを外壁材の外表面に当て、四角形状に外壁材を切断するが、構造部材に傷を付けずに外壁材のみを切断することや、正確に固定部の外形に合わせた形状に切断することは非常に困難である。
また、固定部は、一対で設けられ、斜めに延びるブレスの両端がそれぞれ連結される。このため、一対の固定部は、互いにブレスと連結する部分を正確に合わせて構造部材に取り付けないと、ブレスを連結できなくなる。このため、ベース部の形状が、四角形状の場合、一対の固定部の向きを互いに正確に合わせた位置で、外壁材を切断しないと、この切断した位置に固定部を固定しても、ブレスを連結できなくなるおそれがある。
【００１２】
しかしながら、本発明の固定部の外形を形成するベース部は、円筒形状に形成した。この場合、ベース部の外径と略同じ外径の筒状体に形成された刃が高速で回転するコアドリルを、外壁材の外表面に当て、外壁材を切断する。これにより、容易に、正確な耐震補強金具の形状で、構造部材に傷を付けずに外壁材のみを切断することができる。
また、この場合、一対の固定部におけるベース部の向きは、外壁材を切断した後、ベース部を構造部材に取り付けるときに調整できるので、外壁材を切断する施工が容易になる。
【００１３】
そして、本発明の耐震補強金具は、以下の手順で建築物に取り付ける。
まず、構造部材の仕口における外壁材にコアドリルにより円形状の孔をあけ、構造部材の仕口の外面を露出させる。そして、外壁材の孔に固定部のベース部を挿入し、この露出させた構造部材の仕口の外面に、ベース底部を固定する。
次に、ベース部の内部にブレス受け部を挿入し、ベース底部を挟んで構造部材の仕口にブレス受け底部を固定する。
そして、ブレス受け部のブレス挿通孔にブレスの端部を挿入し、ブレス受け部にブレスを係合させる。
【００１４】
したがって、構造部材に外壁材が取り付けられた建築物において、外壁材を貼り替えることなく、構造部材に取り付けることができる耐震補強金具を提供できる。
【００１５】
また、ベース壁部は外壁材の外表面より突出し、ブレス挿通孔はブレス受け壁部のベース壁部の頂部より突出する部分に形成されている。即ち、このブレス挿通孔に挿通されたブレスは、外壁材の外表面から離れた位置に配置される。
これにより、例えば、外壁に窓等の開口部が設けられていても、耐震補強金具を取り付けることができる。
【００１６】
（２）  前記建築物は、地盤に設けられた基礎の上に前記構造部材が設けられ、
前記基礎近傍の前記仕口に固定される前記固定部は、当該固定部を前記基礎に固定する基礎固定部を、更に備え、
前記基礎固定部は、
前記ベース壁部の外径と略同じ寸法の内径の環形状に形成され、その内部に前記ベース壁部が挿通されるベース側固定部と、
前記基礎に固定される基礎側固定部と、
前記ベース側固定部と前記基礎側固定部とを連結する連結部と、を備える（１）に記載の耐震補強金具。
【００１７】
（２）の構成によれば、建築物の基礎近傍の仕口に固定される固定部は、当該固定部を基礎に固定する基礎固定部を、更に備える。
ここで、本発明における「建築物の基礎近傍の仕口」とは、建築物の基礎の上に設けられる土台と、この土台の上から立設される柱との接合部である。
【００１８】
基礎固定部は、ベース側固定部と、基礎側固定部と、連結部と、を備える。
ベース側固定部は、ベース壁部の外径と略同じ寸法の内径の環形状に形成され、その内部にベース壁部が挿通される。
基礎側固定部は、基礎に固定される。
連結部は、ベース側固定部と基礎側固定部とを連結する。
【００１９】
これにより、ベース側固定部にベース壁部を挿通し、基礎側固定部を基礎に固定することで、固定部を構造部材に加え、更に、基礎にも固定できる。
例えば、ベース部及びブレス受け部をビスにより構造部材に固定した場合、地震が発生すると建築物が歪み、ブレスに引っ張り力が発生する。すると、この力は、ベース部及びブレス受け部に掛かり、ビスが構造部材から抜ける方向に作用する。このとき、基礎に固定された基礎固定部によりベース部は引っ張られているので、ベース部及びブレス受け部が構造部材から外れるのを防止できる。
【考案の効果】
【００２０】
本考案によれば、構造部材に外壁材が取り付けられた建築物において、外壁材を貼り替えることなく、構造部材に取り付けることができる耐震補強金具を提供できる。
【図面の簡単な説明】
【００２１】
【図１】本考案の一実施形態に係る耐震補強金具１が建築物５００に適用された状態を示す図である。
【図２】前記実施形態に係る固定部１０の分解図である。
【図３】図１中ＡＡ’における前記実施形態に係る固定部１０の断面図である。
【図４】前記実施形態に係るベース部１１を正面から視た図である。
【図５】前記実施形態に係るブレス受け部１２を正面から視た図である。
【図６】前記実施形態に係る基礎固定部１３を正面から視た図である。
【考案を実施するための形態】
【００２２】
〈耐震補強金具１の構成〉
本考案の実施形態に係る耐震補強金具１の構成を図面に基づいて説明する。
図１は、本考案の一実施形態に係る耐震補強金具１が建築物５００に適用された状態を示す図である。
建築物５００は、地盤に設けられた基礎５１０の上に構造部材５２０が設けられ、構造部材５２０の外面５２０ａに外壁材５３０が取り付けられている。構造部材５２０には、基礎５１０の上に設けられる土台５２１、土台５２１の上から立設される柱５２２、柱５２２に架けられる梁５２３が含まれる。本実施形態の説明において、土台５２１と柱５２２との接合部や、柱５２２と梁５２３との接合部を仕口５２５と言う。
【００２３】
耐震補強金具１は、構造部材５２０において、外壁材５３０が取り付けられる外面の仕口５２５に固定される複数の固定部１０と、両端が一対の固定部１０にそれぞれ連結され、互いに交差して配置される一対のブレス２０と、を備える。
【００２４】
本実施形態において、固定部１０は、土台５２１及び梁５２３において、互いに隣接する２本の柱５２２の軸線上に、それぞれ固定されている。
図２は、前記実施形態に係る固定部１０の分解図である。
固定部１０は、構造部材５２０の外面５２０ａの仕口５２５に固定されるベース部１１と、ベース部１１の内部に配置され、ブレス２０が固定されるブレス受け部１２と、ベース部１１と基礎５１０とを連結する基礎固定部１３と、ベース部１１及びブレス受け部１２を覆うカバー部１４と、を備える。
【００２５】
図３は、図１中ＡＡ’における前記実施形態に係る固定部１０の断面図である。
ベース部１１は、ベース底部１１１と、ベース壁部１１２と、を有する。
ベース底部１１１は、構造部材５２０の外面５２０ａの仕口５２５に固定され、円板形状に形成されている。
【００２６】
図４は、前記実施形態に係るベース部１１を正面から視た図である。
ベース底部１１１には、ベース部１１を構造部材５２０（図３参照）に固定する固定部材（例えば、ビスやボルト）が挿通する複数のベース部固定用孔１１１ａと、ブレス受け部１２（図３参照）を構造部材５２０に固定する固定部材（例えば、ビスやボルト）が挿通する中央挿通孔１１１ｂ及び調整用挿通孔１１１ｃと、が形成されている。
ベース底部１１１は、その中央にブレス受け部１２が配置される部分１１１ｄ（図４中点線で示す部分）を有する。複数のベース部固定用孔１１１ａは、この部分１１１ｄを避けた位置において、ベース底部１１１の外周に沿って、配列されている。また、複数のベース部固定用孔１１１ａは、この部分１１１ｄを中心とした対称に、一対で設けられている。これにより、ブレス受け部１２から受ける引っ張り力に対して、バランスのよい抗力を発生できる。
【００２７】
中央挿通孔１１１ｂは、ベース底部１１１の中央に形成され、ベース部１１内部にブレス受け部１２が配置されたときに、後述するブレス受け部１２のブレス受け部固定用中央孔１２１ａと重なる。
【００２８】
調整用挿通孔１１１ｃは、ブレス受け部１２が配置される部分１１１ｄ内において、ベース底部１１１の外周に沿って、２つ配列されている。調整用挿通孔１１１ｃは、ベース部１１内部にブレス受け部１２が配置されたときに、後述するブレス受け部１２のブレス受け部固定用調整孔１２１ｂと重なる。
また、調整用挿通孔１１１ｃは、ベース部１１の外周方向に長径を有する楕円形状に形成されている。これにより、ベース部１１内部にブレス受け部１２を配置するとき、ブレス受け部１２を、ベース部１１の外周方向に回転させ、ブレス受け部１２の向きを微調整した位置に固定できる。
なお、調整用挿通孔１１１ｃは、ブレス受け部１２が配置される部分１１１ｄ内において、中央挿通孔１１１ｂを中心とした対称に、一対で設けてもよい。
【００２９】
図３に示すように、ベース壁部１１２は、ベース底部１１１の外縁から、構造部材５２０の外面５２０ａと直交する方向に延び、外壁材５３０の外表面５３０ａより突出し、図４に示すように、円筒形状に形成されている。
【００３０】
図３に示すように、ブレス受け部１２は、ブレス受け底部１２１と、ブレス受け壁部１２２と、を有し、ブレス２０からの引っ張り力を受ける。
【００３１】
ブレス受け底部１２１は、ベース壁部１１２の内径と略同じ長さで形成された部分を有し、ベース底部１１１を挟んで構造部材５２０の仕口５２５に固定される。
図５は、前記実施形態に係るブレス受け部１２を正面から視た図である。
ブレス受け底部１２１には、ブレス受け部１２を構造部材５２０（図３参照）に固定する固定部材（例えば、ビスやボルト）が挿通するブレス受け部固定用中央孔１２１ａ及びブレス受け部固定用調整孔１２１ｂが形成されている。
【００３２】
ブレス受け部固定用中央孔１２１ａは、ブレス受け部１２の略中央に形成され、ベース部１１内部にブレス受け部１２が配置されたときに、ベース部１１の中央挿通孔１１１ｂ（図４参照）と重なる。
【００３３】
ブレス受け部固定用調整孔１２１ｂは、ブレス受け底部１２１の外周に沿って、２つ配列されている。ブレス受け部固定用調整孔１２１ｂは、ベース部１１内部にブレス受け部１２が配置されたときに、ベース部１１の調整用挿通孔１１１ｃ（図４参照）と重なる。
なお、ブレス受け部固定用調整孔１２１ｂは、ブレス受け部固定用中央孔１２１ａを中心とした対称に、一対で設けてもよい。
【００３４】
図３に示すように、ブレス受け壁部１２２は、ブレス受け底部１２１の外縁近傍から構造部材５２０の外面５２０ａと直交する方向に突出する。ブレス受け壁部１２２は、ブレス２０と係合する主壁１２３と、主壁１２３の両端からそれぞれ延びて主壁１２３をサポートする一対の補助壁１２４と、を備える。
【００３５】
主壁１２３には、ベース壁部１１２の頂部より突出する部分が形成され、このベース壁部１１２の頂部より突出する部分に、ブレス２０が挿通するブレス挿通孔１２３ａが形成されている。
補助壁１２４は、主壁１２３が設けられた側のブレス受け底部１２１の外縁から、他方側のブレス受け底部１２１の外縁に向かって、徐々に頂部が傾斜して形成されている。
【００３６】
図６は、前記実施形態に係る基礎固定部１３を正面から視た図である。
基礎固定部１３は、ベース側固定部１３１と、基礎側固定部１３２と、連結部１３３と、を備える。
【００３７】
ベース側固定部１３１は、ベース壁部１１２（図３参照）の外径と略同じ寸法の内径の環形状に形成された環形状部１３１aと、環形状部１３１aの外周面に固定され、環形状部１３１aの外周面の接線と直交する方向に延びるベース側連結部１３１ｂと、を備える。
環形状部１３１aには、図３に示すように、その内部にベース壁部１１２が挿通される。
ベース側連結部１３１ｂは、連結部１３３の先端側と螺合する。
【００３８】
基礎側固定部１３２は、基礎固定部１３を基礎５１０（図２参照）に固定する固定部材（例えば、ビスやボルト）が挿通する基礎側固定部孔１３２ａが形成された板状部１３２ｂと、板状部１３２ｂの先端に設けられ、筒状に形成され、連結部１３３の一部が挿通する筒状部１３２ｃと、を備える。
基礎側固定部１３２は、例えば、コンクリート製の基礎５１０に打ち込まれたメス螺子形状のアンカーに、基礎側固定部孔１３２ａを挿通させた固定部材（例えば、ボルト）によって、基礎５１０に固定される。
【００３９】
連結部１３３は、少なくとも先端側に螺子山が形成され、先端側においてベース側固定部１３１のベース側連結部１３１ｂと螺合する首部１３３ａと、首部１３３ａの他端側に設けられ、基礎側固定部１３２の筒状部１３２ｃの内径より大きい外径で形成された頭部１３３ｂと、を備える。
連結部１３３は、首部１３３ａの先端側がベース側固定部１３１と螺合し、頭部１３３ｂが基礎側固定部１３２の筒状部１３２ｃに係止することで、ベース側固定部１３１と基礎側固定部１３２とを連結する。
【００４０】
図３に戻って、カバー部１４は、一方の端部が塞がれ、他方の端部が開放された筒状体で形成されている。カバー部１４は、その内径が、ベース壁部１１２又はベース側固定部１３１の環形状部１３１aの外径と略同じ寸法に形成されている。また、カバー部１４には、図２に示すように、ブレス２０や基礎固定部１３が配置される位置に欠き込みが形成されている。
【００４１】
ブレス２０は、少なくとも両端側において螺子山が形成された棒状体２１と、棒状体２１の両端側において棒状体２１と螺合するナット２２と、を備える。
棒状体２１は、その両端側がそれぞれ固定部１０のブレス受け部１２のブレス受け壁部１２２に形成されたブレス挿通孔１２３ａに挿通される。
ナット２２は、ブレス挿通孔１２３ａに挿通された棒状体２１の端部に螺合される。
【００４２】
なお、耐震補強金具１は、所定の厚さで形成された高さ調整部材を備えてもよい。この高さ調整部材は、構造部材５２０とベース部１１との間や、ベース部１１とブレス受け部１２との間に設けられる。調整部材を設けることで、外壁材５３０の外表面５３０ａからブレス受け部１２のブレス挿通孔１２３ａまでの寸法を調整できる。即ち、外壁材５３０の外表面５３０ａからブレス２０までの寸法を調整できるので、例えば、外壁材５３０の外表面５３０ａから突出してサッシが設けられていても、このサッシと接触しない位置にブレス２０を配置できる。なお、調整部材の正面視の形状は、ベース底部１１１又はブレス受け底部１２１と同一の形状であることが好ましい。
【実施例】
【００４３】
実施例に係る耐震補強金具１は、ベース部１１と、ブレス受け部１２と、ブレス２０と、を備える。
ベース部１１とブレス受け部１２とは、厚さ４ｍｍの鋼板で形成されている。
ベース部１１は、ベース底部１１１の直径が１１５ｍｍで形成され、構造部材５２０の外面５２０ａと直交する方向におけるベース壁部１１２の寸法が４５ｍｍで形成されている。
ブレス受け部１２のブレス受け底部１２１は、円板の一部を切り取った形状であり、ブレス受け部固定用中央孔１２１ａの中心を通る線に対して対称形状に形成されている。また、ブレス受け底部１２１は、ブレス受け壁部１２２の主壁１２３が設けられた側の外縁の幅が４５ｍｍで形成され、当該外縁と対向する外縁の幅が６０ｍｍで形成されている。また、これらの外縁間は、ベース壁部１１２の内径と略同じ長さで形成された部分であり、その寸法が１００ｍｍで形成されている。
また、ブレス２０は、直径１２ｍｍの棒鋼で形成されている。
【００４４】
〈実施例に係る耐震補強金具１の引っ張り強度試験〉
三条市県央技術支援センターにおいて、精密万能試験機（ＡＧ−１００ＫＮＤ）により、耐震補強金具１の引っ張り強度試験を行った。
本引っ張り強度試験では、１２０ｍｍ角の木材を押さえ金具で床に固定し、この木材に耐震補強金具１のベース部１１、ブレス受け部１２及び所定の長さに切断したブレス２０を取り付け、ブレス２０に引っ張り側の荷重を加え、最大荷重を測定した。
【００４５】
本引っ張り強度試験の結果、最大荷重２７．２０ＫＮ（１ＫＮ＝１０２ｋｇｆ）で、木材の押さえ金具が破損したが、耐震補強金具１に変形は見られなかった。
【００４６】
〈耐震補強金具１の取り付け方法〉
次に、耐震補強金具１を建築物５００に取り付ける手順について説明する。
本実施形態の説明では、耐震補強金具１をある柱５２２と他の柱５２２間に、耐震補強金具１を取り付ける場合について説明する。
まず、土台５２１とある柱５２２との仕口５２５、ある柱５２２と梁５２３との仕口５２５、土台５２１と他の柱５２２との仕口５２５及び他の柱５２２と梁５２３との仕口５２５の４箇所の仕口５２５において、コアドリルにより、外壁材５３０に、ベース部１１の外径と同じ又は僅かに大きい径の孔をあける。
【００４７】
次に、外壁材５３０にあけられた孔に固定部１０のベース部１１を配置する。そして、土台５２１とある柱５２２との仕口５２５に配置したベース部１１と、他の柱５２２と梁５２３との仕口５２５に配置したベース部１１と、の向きを合わせ、これらのベース部１１を構造部材５２０に固定する。また、土台５２１と他の柱５２２との仕口５２５に配置したベース部１１と、ある柱５２２と梁５２３との仕口５２５に配置したベース部１１と、の向きを合わせ、これらのベース部１１を構造部材５２０に固定する。ここで、２つのベース部１１の向きを合わせるとは、具体的には、例えば、２つのベース部１１にそれぞれ形成された２つ調整用挿通孔１１１ｃが互いに平行になるように、ベース部１１を回転させて調整する。
【００４８】
次に、土台５２１と柱５２２との仕口５２５に固定したベース部１１のベース壁部１１２に、基礎固定部１３のベース側固定部１３１をはめ、基礎側固定部１３２を基礎５１０に固定する。
【００４９】
次に、ベース部１１の内部にブレス受け部１２を配置し、ブレス受け部固定用中央孔１２１ａに固定部材（例えば、ビスやボルト）を挿通し、ブレス受け部１２を構造部材５２０に仮止めする。
そして、ブレス受け部１２のブレス受け壁部１２２に形成されたブレス挿通孔１２３ａにブレス２０の棒状体２１の端部を挿入し、この棒状体２１の端部にナット２２を螺合させる。また、この状態において、ブレス受け部１２を回転させ、ブレス２０の軸芯にブレス受け部１２の向きを合わせてから、ブレス受け部固定用調整孔１２１ｂに固定部材（例えば、ビスやボルト）を挿通し、ブレス受け部１２を構造部材５２０に固定する。そして、ナット２２がブレス受け壁部１２２に当接するまで、ナット２２を回転させ、ブレス２０に所定の張力をかける。
【００５０】
最後に、ベース部１１及びブレス受け部１２に、カバー部１４を被せ、カバー部１４と外壁材５３０との間に防水処理を行う。
【００５１】
なお、本考案は前記実施形態に限定されるものではなく、本考案の目的を達成できる範囲での変形、改良等は本考案に含まれるものである。
【符号の説明】
【００５２】
１        耐震補強金具
１０      固定部
１１      ベース部
１１１    ベース底部
１１２    ベース壁部
１２      ブレス受け部
１２１    ブレス受け底部
１２２    ブレス受け壁部
１２３ａ  ブレス挿通孔
２０      ブレス
５００    建築物
５２０    構造部材
５２０ａ  外面
５２５    仕口
５３０    外壁材
【図１】
0003188060.tif 000003
【図２】
0003188060.tif 000004
【図３】
0003188060.tif 000005
【図４】
0003188060.tif 000006
【図５】
0003188060.tif 000007
【図６】
0003188060.tif 000008